(57)【要約】【課題】肘掛けが邪魔になることなく収納することができる椅子を提供する。【解決手段】座部１と座部１の後部に設けられる背もたれ部２とを備えた椅子Ａに関する。背もたれ部２内にその左右両端部において開口する肘掛け収納凹所３を設ける。一対の肘掛け４を肘掛け収納凹所３内に水平方向でスライド自在に収納すると共に各肘掛け４を左右両端部の開口から前方へ突出自在にする。肘掛け４は背もたれ部２の上方などに大きく突出することなく背もたれ部２内に収納することができる。【選択図】図１
2007175397.tif 000002
【特許請求の範囲】
【請求項１】
座部と座部の後部に設けられる背もたれ部とを備えた椅子であって、背もたれ部内にその左右両端部において開口する肘掛け収納凹所を設け、一対の肘掛けを肘掛け収納凹所内に水平方向でスライド自在に収納すると共に各肘掛けを左右両端部の開口から座部の両側へ突出自在にして成ることを特徴とする椅子。
【請求項２】
肘掛けの平面形状をその内側が凹となった円弧形状に形成し、各肘掛けを、背もたれ部の前方中央部へ向くこの円弧形状の軌跡で突出自在にして成ることを特徴とする請求項１に記載の椅子。
【発明の詳細な説明】
【技術分野】
【０００１】
本発明は、肘掛けを収納できるようにした椅子に関するものであり、特に電動乗用カートの座席として適した椅子に関するものである。
【背景技術】
【０００２】
椅子は座部と背もたれ部とから形成されるが、椅子を一人乗りの電動乗用カートに座席として取り付ける場合、椅子に座った人が両側へ転落することを防止するために、椅子の両側に肘掛けを設けることが必ず必要である。
【０００３】
しかし、電動乗用カートに乗り降りする場合、電動乗用カートの横から乗り込みながら椅子に座ったり、椅子から立ち上がりながら電動乗用カートの横に降りたりするのが一般的であり、電動乗用カートに乗り降りする際に、椅子の両側に設けられている肘掛けが邪魔になる。
【０００４】
そこで例えば、本発明者によっても提案されているように、肘掛けの端部を背もたれ部に回動軸で枢支して取り付け、水平に前方へ突出する状態と上方へ立ち上がる状態との間で肘掛けを回動することができるようにすることによって、乗用カートに乗り降りする際には肘掛けを上方へ回動させて立ち上げた収納状態にし、肘掛けが邪魔にならないようにすることが行なわれている（特許文献１等参照）。
【特許文献１】特開２００３−２９１８７７号公報
【発明の開示】
【発明が解決しようとする課題】
【０００５】
上記のように肘掛けを背もたれ部に上下回動自在に取り付けて、肘掛けを上方へ回動させて立ち上げた収納状態にすると、椅子の座部に横方向から座ったり、椅子の座部から横方向に降りたりする際に、肘掛けが邪魔にならないようにすることができる。しかしこのときには、肘掛けが背もたれ部の上端よりも上方へ突出することになり、この上方へ突出する肘掛けが邪魔になることがあるという問題もあった。
【０００６】
また、上記のような一人乗りの電動乗用カートでは、椅子に座っている人が前かがみに倒れて椅子から転落することを防止するために、シートベルトを装着することが望まれる。しかし、電動乗用カートにはシートベルト自体が設けられていない場合が多く、また仮にシートベルトが設けられていても、シートベルトを脱着する操作は面倒であるという問題があった。
【０００７】
本発明は上記の点に鑑みてなされたものであり、肘掛けが邪魔になることなく収納することができる椅子を提供することを目的とするものであり、また肘掛けにシートベルトとしての機能を付与することが可能になる椅子を提供することを目的とするものである。
【課題を解決するための手段】
【０００８】
本発明の請求項１に係る椅子は、座部１と座部１の後部に設けられる背もたれ部２とを備えた椅子Ａであって、背もたれ部２内にその左右両端部において開口する肘掛け収納凹所３を設け、一対の肘掛け４を肘掛け収納凹所３内に水平方向でスライド自在に収納すると共に各肘掛け４を左右両端部の開口から座部１の両側へ突出自在にして成ることを特徴とするものである。
【０００９】
また請求項２の発明は、請求項１において、肘掛け４の平面形状をその内側が凹となった円弧形状に形成し、各肘掛け４を、背もたれ部２の前方中央部へ向くこの円弧形状の軌跡で突出自在にして成ることを特徴とするものである。
【発明の効果】
【００１０】
請求項１の発明によれば、座部１に座ったときには、一対の肘掛け４を背もたれ部２の肘掛け収納凹所３から引き出して、肘掛け４を使用することができ、座部１に座ったり座部１から降りたりするときには、肘掛け４を背もたれ部２の肘掛け収納凹所３内に収納して、肘掛け４が邪魔にならないようにすることができるものである。しかも肘掛け４は背もたれ部２の上方などに大きく突出することなく背もたれ部２内に収納することができるものであり、肘掛け４を邪魔になることなく収納することができるものである。
【００１１】
また請求項２の発明によれば、円弧形状に形成した肘掛け４を背もたれ部２から突出させると、座部１に座った人の腹部の前面の一部を肘掛け４で囲うようにすることができ、座部１に座った人が前方へ倒れることを肘掛け４を利用して防ぐことができるものであり、肘掛け４にシートベルトとしての機能を付与することが可能になるものである。
【発明を実施するための最良の形態】
【００１２】
以下、本発明を実施するための最良の形態を説明する。
【００１３】
背もたれ部２は座部１の後部に蝶番１０で取り付けられるものであり、図４（ａ）のように上方へ立ち上がる使用状態と、図４（ｂ）のように座部１の上面に重ねるように折り畳んだ収納状態との間で、上下方向に回動自在にしてある。図４（ｂ）のように背もたれ部２を座部１の上に折り畳む場合には、後述するようにして肘掛け４を背もたれ部２内に引き込ませて収納しておくものである。図４において１１は蝶番１０に設けた受け板であり、背もたれ部２を上方へ立ち上げた際に背もたれ部２の下面を載置させて、背もたれ部２を立ち上げた状態に保持するためのものである。
【００１４】
背もたれ部２は平面形状を図１や図２に示すように、その前面側が凹湾曲面に、背面側が凸湾曲面となる円弧状に形成してあり、背もたれ部２内には肘掛け収納凹所３が設けてある。この肘掛け収納凹所３は、背もたれ部２と同様に前面側が凹湾曲面に、背面側が凸湾曲面となる円弧状に屈曲した角筒状の収納筒１２を背もたれ部２内に埋設することによって、この収納筒１２内に形成されるものであり、従って肘掛け収納凹所３は円弧状に屈曲した洞穴状に形成されるものである。背もたれ部２は上記のように平面形状を円弧状に形成することによって、その両側端部は外側へ向けて斜め前方に屈曲するようになっており、また収納筒１２は上記のように平面形状を円弧状に形成することによって、収納筒１２内に形成される肘掛け収納凹所３の両端は背もたれ部２の両側端面において、外側へ向けて斜め前方に開口している。
【００１５】
肘掛け４は、肘を安定して置くことができるように幅広となった横片１６の一側縁に縦片１７を垂下することによって断面倒Ｌ型に形成してある。肘掛け４にはスライド支持板１５が設けてある。スライド支持板１５は縦片１７の後端から後方へ突出するように、肘掛け４と一体的に設けられているものであり、スライド支持板１５にはその前端部から後端部に至るスリット状のスライド長孔１８が穿設してある。そして肘掛け部４とスライド支持板は、肘掛け４の前端からスライド支持板１５の後端に至る全長に亘って、肘掛け収納凹所３の円弧状の曲率と同じ曲率の、円弧状に形成してある。肘掛け４は横片１６の縦片１７を垂下した側の面が凹面となる円弧状に形成されるものであり、肘掛け４としては円弧形状を対称形にした一対のものを用いるものである。
【００１６】
この一対の肘掛け４は、背もたれ部２の肘掛け収納凹所３内に両端の開口からそれぞれスライド支持板１５を差し込んで、凹面が内側になるように肘掛け収納凹所３に取り付けてある。一対の肘掛け４の各スライド支持板１５は前後方向に重なった状態で肘掛け収納凹所３内に配置されるものである。そして収納筒１２の長手方向の中央部にはガイドピン１９が取り付けてあり、一対のスライド支持板１５同士を重ねた部分において、両スライド支持板１５のスライド長孔１８にこのガイドピン１９が通してある。各肘掛け４のスライド支持板１５は、スライド長孔１８がこのガイドピン１９に沿って移動できる範囲で収納凹所３内をスライド自在になっているものであり、図３（ａ）のようにスライド長孔１８の後端がガイドピン１９に当接するまでスライド支持板１５をスライドさせると、図２（ａ）に示すように、各肘掛け４はその後端部を除くほぼ全長が肘掛け収納凹所３の端部の開口から前方へ突出し、また図３（ｂ）のようにスライド長孔１８の前端がガイドピン１９に当接するまでスライド支持板１５をスライドさせると、図２（ｂ）に示すように、各肘掛け４は先端部を除くほぼ全長が肘掛け収納凹所３内に引っ込んで収納されるようになっている。
【００１７】
また各肘掛け４のスライド支持板１５の下縁には図３（ａ）に示すように、後端部と、前端部と、その間の箇所の３箇所においてそれぞれ係止凹部２１ａ，２１ｂ，２１ｃが設けてある。一方、ガイドピン１９を設けた箇所の両側位置において収納筒１２に係止突部２２ａ，２２ｂが設けてある。係止突部２２ａ，２２ｂは例えば図５に示すようにバネ板２３の先端に設けてあり、バネ板２３の後端を収納筒１２の外面に固定することによって、収納筒１２の窓孔２４を通して肘掛け収納凹部３内に係止突部２２ａ，２２ｂが突出するようにしてある。そして、図３（ａ）のようにスライド長孔１８の後端がガイドピン１９に当接するまでスライド支持板１５をスライドさせたときには、図５に示すように、スライド支持板１５の後端部の係止凹部２１ａに係止突部２２ａ，２２ｂがバネ板２３の弾性付勢力で挿入係止されようになっている。また図３（ｂ）のようにスライド長孔１８の前端がガイドピン１９に当接するまでスライド支持板１５をスライドさせたときには、スライド支持板１５の前端部の係止凹部２１ｂに係止突部２２ａ，２２ｂが弾性的に挿入係止されるようになっており、同様にしてスライド支持板１５の中間部の係止凹部２１ｃにも係止突部２２ａ，２２ｂが弾性的に挿入係止されるようになっている。係止凹部２１ａ，２１ｂ，２１ｃに対する係止突部２２ａ，２２ｂの係止は、強い力で肘掛け４を押したり引いたりすることによって、バネ板２３を弾性的に変形させて、外すことができるものである。
【００１８】
上記のように形成される本発明に係る椅子Ａは、例えば、図６のように一人乗りの電動乗用カートＢに、座席として取り付けて使用することができるものである。
【００１９】
そして電動乗用カートＢに乗り降りする際など、椅子Ａの座部１に座ったり座部１から降りたりする際に肘掛け４が邪魔になるときには、肘掛け４を肘掛け収納凹所３に押し込むようにして、図２（ｂ）のようにスライド支持板１５を肘掛け収納凹所３の奥側へスライドさせることによって、図１（ｂ）に示すように、肘掛け４の先端部を除くほぼ全長を肘掛け収納凹所３内に収納することができるものである。このように肘掛け４を肘掛け収納凹所３内に収納した状態では、一対のスライド支持板１５のうち、一方のスライド支持板１５の前端部の係止凹部２１ｂに係止突部２２ａが、他方のスライド支持板１５の前端部の係止凹部２１ｂに係止突部２２ｂが、それぞれ係止されることによって、肘掛け４を肘掛け収納凹所３内に収納した状態に保持できるようになっている。
【００２０】
上記のように肘掛け４を背もたれ部２の肘掛け収納凹所３内に収納することによって、肘掛け４が邪魔になることなく、椅子Ａの座部１に座ったり座部１から降りたりすることができるものである。そして肘掛け４を収納するにあたって、肘掛け４は背もたれ部２内に設けた肘掛け収納凹所３内に引っ込ませるようにしているので、肘掛け４の大部分を背もたれ部２内に隠すことができるものであり、肘掛け４が全く邪魔にならないようにすることができると共に、あたかも肘掛け４の無い椅子Ａとして使用することも可能になるものである。
【００２１】
尚、図１（ｂ）、図２（ｂ）、図３（ｂ）の実施の形態では、一対の肘掛け４の両方を肘掛け収納凹所３内に収納するようにしたが、邪魔になる一方の肘掛け４のみを肘掛け収納凹所３に収納するようにしてもよい。
【００２２】
次に、椅子Ａの座部１の上に座った後などに、肘掛け４を使用する際には、肘掛け４の先端部を引っ張って、図２（ａ）のようにスライド支持板１５を肘掛け収納凹所３の開口側へスライドさせることによって、図１（ａ）に示すように、肘掛け４の後端部を除くほぼ全長を、背もたれ部２の両側端面に開口する肘掛け収納凹所３の端部から前方へ突出させ、座部１の両側に肘掛け４を配置することができるものである。このように肘掛け４を肘掛け収納凹所３から突出させた状態では、図５のように、一対のスライド支持板１５のうち、一方のスライド支持板１５の後端部の係止凹部２１ａに係止突部２２ａが、他方のスライド支持板１５の後端部の係止凹部２１ａに係止突部２２ｂが、それぞれ係止されることによって、肘掛け４を肘掛け収納凹所３から突出させた状態に保持できるようになっている。
【００２３】
ここで、肘掛け４及びその後端に設けたスライド支持板１５は平面形状をその内側が凹となった円弧形状に形成してあり、また肘掛け収納凹所３も同じ曲率の円弧形状に形成してあるので、肘掛け４を肘掛け収納凹所３から引き出すと、肘掛け収納凹所３の円弧の延長線上において、肘掛け４はその円弧形状の軌跡に沿って背もたれ部２の前方の中央部へ向けた方向に突出することになる。従って、図２（ａ）に示すように、一対の各肘掛け４はその先端部が、椅子Ａの座部１の上に座った人Ｍの腹部の前面の両側部に位置することになり、人Ｍの腹部の前面の一部を肘掛け４の先端部で囲うようにすることができるものである。このため、座部１に座った人が前方へ倒れることを肘掛け４を利用して防ぐことができるものであり、肘掛け４にシートベルトとしての機能を付与することができるものである。
【００２４】
また、肘掛け４を肘掛け収納凹所３から引き出して使用するにあたって、シートベルトの機能を果たすように肘掛け４を大きく突出させる必要がない場合には、肘掛け４のスライド支持板１５にその中間部に設けた係止凹部２１ｃに係止突部２２ａ，２２ｂが係止される位置まで、肘掛け４を引き出すようにすればよい。この場合には図１（ｂ）に鎖線で示すように肘掛け４を大きく突出させない状態で使用することができるものである。
【００２５】
尚、図６の実施の形態では、本発明に係る椅子Ａを電動乗用カートのシートとして用いる例を示したが、勿論これに限定されるものではなく、座部１に脚を設けて自立できるようにすることによって、家庭や事務所などにおいて使用する通常の椅子などとして使用することもできるものである。
【図面の簡単な説明】
【００２６】
【図１】本発明の実施の形態の一例を示すものであり、（ａ）（ｂ）はそれぞれ斜視図である。
【図２】本発明の実施の形態の一例を示すものであり、（ａ）（ｂ）はそれぞれ平面断面図である。
【図３】本発明の実施の形態の一例を示すものであり、（ａ）（ｂ）はそれぞれ背もたれの一部を破断した背面図である。
【図４】本発明の実施の形態の一例を示すものであり、（ａ）（ｂ）はそれぞれ側面図である。
【図５】背もたれ部の内部の一部を拡大した断面図である。
【図６】本発明の椅子を電動乗用カートに座席として取り付けた例を示す斜視図である。
【符号の説明】
【００２７】
１  座部
２  背もたれ部
３  肘掛け収納凹所
４  肘掛け
【図１】
2007175397.tif 000003
【図２】
2007175397.tif 000004
【図３】
2007175397.tif 000005
【図４】
2007175397.tif 000006
【図５】
2007175397.tif 000007
【図６】
2007175397.tif 000008